【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
ビデオ情報をコーディングする方法であって、前記方法は、
第１のレイヤＩＤを有する現在レイヤが、前記第１のレイヤＩＤよりも大きいレイヤＩＤを有する別のレイヤからの復号ピクチャを使用してコーディングされ得るという指示を処理することと、ここにおいて、前記指示は、ビデオパラメータセット（ＶＰＳ）、シーケンスパラメータセット（ＳＰＳ）、またはピクチャパラメータセット（ＰＰＳ）のうちの１つで提供される、
第２のレイヤＩＤを有するエンハンスメントレイヤが、前記現在レイヤ中の現在ピクチャと同じアクセスユニット中のエンハンスメントレイヤピクチャを有すると決定することと、
前記指示を処理すること、および前記エンハンスメントレイヤが、前記現在ピクチャと同じアクセスユニット中のエンハンスメントレイヤピクチャを有すると決定することに応答して、前記復号エンハンスメントレイヤピクチャに基づいて前記現在ピクチャをコーディングすることとを備える、方法。
【請求項２】
前記現在ピクチャが、０よりも大きい時間ＩＤを有すると決定することをさらに備え、ここにおいて、前記現在ピクチャをコーディングすることは、前記指示を処理すること、前記エンハンスメントレイヤが、前記現在ピクチャと同じアクセスユニット中のエンハンスメントレイヤピクチャを有すると決定すること、および前記現在ピクチャが、０よりも大きい時間ＩＤを有すると決定することに応答して、前記復号エンハンスメントレイヤピクチャに基づいて前記現在ピクチャをコーディングすることを備える、請求項１に記載の方法。
【請求項３】
前記ビデオ情報が信号対雑音比（ＳＮＲ）または空間スケーラビリティを呈すると決定することをさらに備え、ここにおいて、前記現在ピクチャをコーディングすることは、前記指示を処理すること、前記エンハンスメントレイヤが、前記現在ピクチャと同じアクセスユニット中のエンハンスメントレイヤピクチャを有すると決定すること、および前記ビデオ情報がＳＮＲまたは空間スケーラビリティを呈すると決定することに応答して、前記復号エンハンスメントレイヤピクチャに基づいて前記現在ピクチャをコーディングすることを備える、請求項１に記載の方法。
【請求項４】
前記復号エンハンスメントレイヤピクチャに基づいて前記現在ピクチャをコーディングする前に、前記エンハンスメントレイヤピクチャの空間またはビット深度の変換が必要とされるかどうかを示すフラグまたはシンタックス要素を送信または受信することをさらに備える、請求項１に記載の方法。
【請求項５】
前記エンハンスメントレイヤの前記第２のレイヤＩＤが、前記現在レイヤの前記第１のレイヤＩＤよりも大きい、請求項１に記載の方法。
【請求項６】
前記復号エンハンスメントレイヤピクチャに基づいて前記現在ピクチャをコーディングすることに応答して、前記復号エンハンスメントレイヤピクチャに関連付けられた動き情報を前記コード化現在ピクチャの動き情報と交換することをさらに備える、請求項１に記載の方法。
【請求項７】
前記現在ピクチャを含んでいるアクセスユニット中の各ピクチャをコーディングした後に、０よりも大きいレイヤＩＤを有する各レイヤ中の前記アクセスユニット中のピクチャに関連付けられた動き情報を、前記各レイヤのすぐ下にあるレイヤ中の別のピクチャの動き情報と交換することをさらに備える、請求項１に記載の方法。
【請求項８】
前記現在レイヤ中のピクチャのためのデブロッキングフィルタとサンプルアドプティブオフセット（ＳＡＯ）とを無効化することと、
前記現在レイヤ中のピクチャのための条件付きイントラ予測を有効化することと、
前記現在レイヤ中の非ゼロ動き情報を使用した動き予測を無効化することと、
前記エンハンスメントレイヤ中のエンハンスメントレイヤブロックに関連付けられたただ１つの参照ピクチャインデックスが前記現在ピクチャに対応し、前記現在ピクチャ中のコロケート現在レイヤブロックが双予測を使用するとき、前記エンハンスメントレイヤ中の双予測を無効化することと、
前記デブロッキングフィルタおよび前記ＳＡＯの前記無効化と、制約イントラ予測の前記有効化と、動き予測の前記無効化と、双予測を前記無効化することとに応答して、前記ビデオ情報のシングルループコーディングを実行することとをさらに備える、請求項１に記載の方法。
【請求項９】
前記復号エンハンスメントレイヤピクチャに基づいて前記現在ピクチャをコーディングすることが、前記復号エンハンスメントレイヤピクチャに関連付けられたテクスチャ情報と、前記現在レイヤ中の１つまたは複数のピクチャに関連付けられた動き情報とを使用して前記現在ピクチャをコーディングすることを備える、請求項１に記載の方法。
【請求項１０】
前記エンハンスメントレイヤ中の別のエンハンスメントレイヤピクチャが復号された後に、前記別のエンハンスメントレイヤピクチャの動き情報を、前記別のエンハンスメントレイヤピクチャと同じアクセスユニット中の別の現在レイヤピクチャの動き情報と交換することと、
前記別のエンハンスメントレイヤピクチャの前記動き情報を使用して前記現在ピクチャをコーディングすることとをさらに備える、請求項９に記載の方法。
【請求項１１】
前記現在レイヤ中の別の現在レイヤピクチャと同じアクセスユニット中の別のエンハンスメントレイヤピクチャが復号された後に、前記別の現在レイヤピクチャのテクスチャ情報を前記別のエンハンスメントレイヤピクチャのテクスチャ情報と交換することと、
前記別の現在レイヤピクチャの前記テクスチャ情報を使用して前記現在ピクチャをコーディングすることとをさらに備える、請求項９に記載の方法。
【請求項１２】
実行されると、装置に、
第１のレイヤＩＤを有する現在レイヤと、第２のレイヤＩＤを有するエンハンスメントレイヤとに関連付けられたビデオ情報を記憶することと、前記現在レイヤが現在ピクチャを有する、
前記現在レイヤが、前記第１のレイヤＩＤよりも大きいレイヤＩＤを有する別のレイヤからの復号ピクチャを使用してコーディングされ得るという指示を処理することと、ここにおいて、前記指示は、ビデオパラメータセット（ＶＰＳ）、シーケンスパラメータセット（ＳＰＳ）、またはピクチャパラメータセット（ＰＰＳ）のうちの１つで提供される、
前記エンハンスメントレイヤが、前記現在ピクチャと同じアクセスユニット中のエンハンスメントレイヤピクチャを有すると決定することと、
前記指示を処理すること、および前記エンハンスメントレイヤが、前記現在ピクチャと同じアクセスユニット中のエンハンスメントレイヤピクチャを有すると決定することに応答して、前記復号エンハンスメントレイヤピクチャに基づいて前記現在ピクチャをコーディングすることとを備えるプロセスを実行させるコードを備える非一時的コンピュータ可読媒体。
【請求項１３】
前記プロセスは、前記現在ピクチャが、０よりも大きい時間ＩＤを有すると決定することをさらに備え、ここにおいて、前記現在ピクチャをコーディングすることは、前記指示を処理すること、前記エンハンスメントレイヤが、前記現在ピクチャと同じアクセスユニット中のエンハンスメントレイヤピクチャを有すると決定すること、および前記現在ピクチャが、０よりも大きい時間ＩＤを有すると決定することに応答して、前記復号エンハンスメントレイヤピクチャに基づいて前記現在ピクチャをコーディングすることを備える、請求項１２に記載のコンピュータ可読媒体。
【請求項１４】
ビデオ情報をコーディングするように構成されたビデオコーディングデバイスであって、前記ビデオコーディングデバイスは、
第１のレイヤＩＤを有する現在レイヤと、第２のレイヤＩＤを有するエンハンスメントレイヤとに関連付けられたビデオ情報を記憶するための手段と、前記現在レイヤが現在ピクチャを有する、
前記現在レイヤが、前記第１のレイヤＩＤよりも大きいレイヤＩＤを有する別のレイヤからの復号ピクチャを使用してコーディングされ得るという指示を処理するための手段と、ここにおいて、前記指示は、ビデオパラメータセット（ＶＰＳ）、シーケンスパラメータセット（ＳＰＳ）、またはピクチャパラメータセット（ＰＰＳ）のうちの１つで提供される、
前記エンハンスメントレイヤが、前記現在ピクチャと同じアクセスユニット中のエンハンスメントレイヤピクチャを有すると決定するための手段と、
前記指示を処理すること、および前記エンハンスメントレイヤが、前記現在ピクチャと同じアクセスユニット中のエンハンスメントレイヤピクチャを有すると決定することに応答して、前記復号エンハンスメントレイヤピクチャに基づいて前記現在ピクチャをコーディングするための手段とを備える、ビデオコーディングデバイス。
【請求項１５】
前記現在ピクチャが、０よりも大きい時間ＩＤを有すると決定するための手段をさらに備え、ここにおいて、前記現在ピクチャをコーディングすることは、前記指示を処理すること、前記エンハンスメントレイヤが、前記現在ピクチャと同じアクセスユニット中のエンハンスメントレイヤピクチャを有すると決定すること、および前記現在ピクチャが、０よりも大きい時間ＩＤを有すると決定することに応答して、前記復号エンハンスメントレイヤピクチャに基づいて前記現在ピクチャをコーディングすることを備える、請求項１４に記載のビデオコーディングデバイス。